(57)【特許請求の範囲】
【請求項１】
互いに対向する案内面によって構成され、媒体が搬送される搬送経路と、
前記媒体の搬送方向と交差する幅方向に間隔を空けて設けられる一対の搬送ローラーと、
前記幅方向において前記一対の搬送ローラーの間に設けられ、前記対向する案内面のいずれか一方から前記搬送経路に突出する非検出状態と、搬送される前記媒体に押されて前記非検出状態よりも突出高さが低くなる方向に変位する検出状態と、をとり得る媒体検出部材と、
前記対向する案内面のうち前記媒体検出部材の突出方向にある案内面を構成する案内部材と、を備え、
前記案内部材は、前記媒体検出部材まで延びる第１の案内部と、前記第１の案内部及び前記媒体検出部材より下流側に位置する第２の案内部と、を備え、
前記第１の案内部は、前記搬送経路を狭めて前記媒体を前記媒体検出部材に当接させる形状を有し、
前記搬送経路のうち前記第２の案内部によって形成される搬送経路の広さは、前記第１の案内部によって形成される搬送経路の広さよりも広く、
前記第２の案内部は、前記媒体検出部材の突出方向に窪んでいる、
ことを特徴とする媒体搬送装置。
【請求項２】
請求項１に記載の媒体搬送装置において、
前記案内部材が、前記非検出状態において前記媒体検出部材の先端を受け入れる受入部を備えている、
ことを特徴とする媒体搬送装置。
【請求項３】
画像を読み取る読取部と、
前記媒体を前記読取部に向けて給送する、請求項１または請求項２に記載の媒体搬送装置を備える、ことを特徴とする画像読取装置。
【請求項４】
請求項３に記載の画像読取装置において、
前記案内部材の下流側に、前記読取部を備え、
前記第２の案内部は、前記読取部に対向する搬送領域に前記媒体を誘う誘い部を備え、前記案内部材が、前記読取部を収納する収納部と一体に形成されている、
ことを特徴とする画像読取装置。
【請求項５】
請求項４に記載の画像読取装置において、
前記誘い部の前記幅方向の両側に、当該誘い部と面一に前記幅方向に延設されるガイド部を備える、
ことを特徴とする画像読取装置。
【発明の詳細な説明】
【技術分野】
【０００１】
本発明は、媒体を搬送する媒体搬送装置、および媒体搬送装置を備える画像読取装置に関する。
【背景技術】
【０００２】
画像読取装置の一例であるスキャナーには、原稿の自動送り装置（ＡＤＦ（Auto
Document Feeder）とも呼ばれる）が媒体搬送装置として設けられ、複数枚の原稿の自動送りと読み込みとを行える様に構成される場合がある（例えば、特許文献１）。  
この様なスキャナーにおいて、読取部における精度の高い読み取りを行うため、前記読取部に搬送される媒体の位置を正確に把握するべく、読取部の上流側に媒体検出センサーが設けられるものがある。
【０００３】
媒体検出センサーには、搬送される媒体の検出レバーへの接触を検知するレバー式のセンサーが用いられる場合がある。前記レバー式の媒体検出センサーは、前記検出レバーが媒体の搬送経路に突出して設けられており、搬送される媒体が前記検出レバーを押して該検出レバーを変位させたときに、前記媒体が検出されるように構成さている。
【先行技術文献】
【特許文献】
【０００４】
【特許文献１】特開２０１４−１３６６４４号公報
【発明の概要】
【発明が解決しようとする課題】
【０００５】
ところで、搬送経路において読取部と対向する領域では、前記読取部による高い読取精度を得るため、前記読取部と搬送される媒体（原稿）を密着させるように前記搬送経路は狭く形成されている。
【０００６】
ここで、レバー式の媒体検出センサーでは、コシの弱い薄紙を搬送する際に前記薄紙が浮いて前記検出レバーを押さずに乗り越えてしまう「検出レバーの空振り」が生じ、媒体（薄紙）が未検出となることがある。  
前記「検出レバーの空振り」に基づく媒体未検出の不具合は、例えば、前記検出レバーと対向する位置に前記媒体（薄紙）の浮きを押さえる押さえ部材を設けることにより抑制することができる。
【０００７】
ところで、媒体検出センサーの上流側に、媒体を搬送する搬送ローラーを媒体幅方向に複数設ける構成において、例えば２つの搬送ローラーによる媒体送り方向が完全に平行でないと、媒体が幅方向に撓む（皺が形成される）場合がある。この様に撓んだ媒体が、上述のように狭められた搬送経路に入り込むと、撓みはその大きさを維持できず、複数の小さな山に変化する。  
この様な小さい複数の山が、狭められた搬送経路を更に下流側に進むと、やがて押し潰されて紙ジャム（紙詰まり）が発生する虞がある。特に、コシの弱い薄紙においては紙ジャムが発生し易い。
【０００８】
上記問題点に鑑み、本発明の目的は、媒体の搬送経路に設けられたレバー式の媒体検出センサーにおける前記「検出レバーの空振り」に基づく媒体未検出の不具合と紙ジャムの発生の両方を抑制または回避することにある。
【課題を解決するための手段】
【０００９】
上記課題を解決するため、本発明の第１の態様に係る媒体搬送装置は、互いに対向する案内面によって構成され、媒体が搬送される搬送経路と、前記媒体の搬送方向と交差する幅方向に間隔を空けて設けられる一対の搬送ローラーと、前記幅方向において前記一対の搬送ローラーの間に設けられ、前記対向する案内面のいずれか一方から前記搬送経路に突出する非検出状態と、搬送される前記媒体に押されて前記非検出状態よりも突出高さが低くなる方向に変位する検出状態と、をとり得る媒体検出部材と、前記対向する案内面のうち前記媒体検出部材の突出方向にある案内面を構成する案内部材と、を備え、前記案内部材は、第１の案内部と、前記第１の案内部より下流側に位置する第２の案内部と、を備え、前記第１の案内部は、前記搬送経路を狭めて前記媒体を前記媒体検出部材に当接させる形状を有し、前記第２の案内部は、搬送される媒体を、前記幅方向において前記一対の搬送ローラーの間に１つの頂点を有する山形にする形状を有する、ことを特徴とする。
【００１０】
本明細書において、媒体搬送装置によって媒体が搬送される方向を下流といい、その反対方向を上流という。  
本態様によれば、前記案内部材が、前記搬送経路を狭めて前記媒体を前記媒体検出部材に当接させる形状を有する第１の案内部を備えるので、搬送される媒体によって前記媒体検出部材が確実に押される構成とすることができる。以って、前述した「検出レバーの空振り」によって媒体が未検出となる虞を抑制または回避することができる。
【００１１】
加えて、前記案内部材が、搬送される媒体を、前記幅方向において前記一対の搬送ローラーの間に１つの頂点を有する山形にする形状を有する第２の案内部を備えるので、前記一対の搬送ローラーの間に２つ以上の山を有するコックリングが形成されること回避することができる。このことによって、搬送経路における紙ジャムの発生の虞を低減することができる。尚、この点については後に詳しく説明する。  
以上のように、前記案内部材が前記第１の案内部と前記第２の案内部を備えることにより、前記媒体検出部材における媒体未検出と紙ジャムの発生の両方を抑制または回避することができる。
【００１２】
本発明の第２の態様に係る媒体搬送装置は、第１の態様において、前記第２の案内部は、搬送経路の広さを第１の案内部によって形成される搬送経路よりも広くする形状を有する、ことを特徴とする。
【００１３】
本態様によれば、前記第２の案内部は、搬送経路の広さを第１の案内部によって形成される搬送経路よりも広くする形状を有するので、搬送される媒体が前記媒体検出部材から離れたときに、前記搬送経路が広くなり、前記一対の搬送ローラーによるニップ部の間に１つの頂点を有する山形にすることができる。
【００１４】
本発明の第３の態様に係る媒体搬送装置は、第１の態様または第２の態様において、前記案内部材が、前記非検出状態において前記媒体検出部材の先端を受け入れる受入部を備えている、ことを特徴とする。
【００１５】
本態様によれば、前記案内部材が、前記非検出状態において前記媒体検出部材の先端を受け入れる受入部を備えているので、前記案内部材と前記媒体検出部材をより近接させることができる。以って、媒体搬送装置における省スペース化を図ることができる。
【００１６】
本発明の第４の態様に係る画像読取装置は、画像を読み取る読取部と、前記媒体を前記読取部に向けて給送する、第１の態様から第３の態様のいずれかの媒体搬送装置を備える、ことを特徴とする。
【００１７】
本態様によれば、画像を読み取る読取部を備える画像読取装置において、前記媒体を前記読取部に向けて搬送する際に、第１の態様から第３の態様のいずれかと同様の作用効果が得られる。
【００１８】
本発明の第５の態様に係る画像読取装置は、第４の態様において、前記案内部材の下流側に、前記読取部を備え、前記第２の案内部は、前記読取部に対向する搬送領域に前記媒体を誘う誘い部を備え、前記案内部材が、前記読取部を収納する収納部と一体に形成されている、ことを特徴とする。
【００１９】
本態様によれば、前記案内部材が、前記読取部を収納する収納部と一体に形成されていることにより、前記収納部に対する前記案内部材の相対位置を一定にすることができるので、前記収納部に収納される読取部に向けて前記媒体を安定して搬送することができる。  
また、部品点数を減らし、コストを低減することができる。
【００２０】
本発明の第６の態様に係る画像読取装置は、第５の態様において、前記誘い部の前記幅方向の両側に、当該誘い部と面一に前記幅方向に延設されるガイド部を備える、ことを特徴とする。
【００２１】
本態様によれば、前記媒体を幅方向に亘ってガイドしつつ前記読取部に向けて誘うように搬送することができる。
【図面の簡単な説明】
【００２２】
【図１】本発明に係るスキャナーを示す外観斜視図。
【図２】本発明に係るスキャナーにおいて開閉体を開き、排紙トレイを引き出した状態を示す斜視図。
【図３】本発明に係るスキャナーにおいて上部ユニットを下部ユニットに対して開状態とした場合の斜視図。
【図４】本発明に係るスキャナーにおける用紙搬送経路を示す側断面図。
【図５】本発明に係るスキャナーにおいて上部ユニットを外した状態を示す斜視図。
【図６】下部ユニットの要部拡大図。
【図７】上部ユニットを示す斜視図。
【図８】上部ユニットの要部拡大図。
【図９】図８のＡ−Ａ矢視断面図。
【図１０】案内部材が一体に形成されたバスタブの外観斜視図。
【図１１】案内部材によって形成される搬送経路を用紙が搬送される様子を表す図。
【図１２】図１１における各図のＢ−Ｂ矢視断面図。
【図１３】狭い搬送経路用紙において発生する紙ジャムについて説明する図。
【発明を実施するための形態】
【００２３】
［実施例１］
まず、本発明の一実施例に係る媒体搬送装置を備えた画像読取装置の概略について説明する。本実施例では画像読取装置の一例として、媒体の表面及び裏面の少なくとも一面を読み取り可能なドキュメントスキャナー（以下、単にスキャナー１と称する）を例に挙げる。  
図１は、本発明に係るスキャナーを示す外観斜視図である。図２は、本発明に係るスキャナーにおいて開閉体を開き、排紙トレイを引き出した状態を示す斜視図である。図３は、本発明に係るスキャナーにおいて上部ユニットを下部ユニットに対して開状態とした場合の斜視図である。図４は、本発明に係るスキャナーにおける用紙搬送経路を示す側断面図である。図５は、本発明に係るスキャナーにおいて上部ユニットを外した状態を示す斜視図である。図６は、下部ユニットの要部拡大図である。
【００２４】
図７は、上部ユニットを示す斜視図である。図８は、上部ユニットの要部拡大図である。図９は、図８のＡ−Ａ矢視断面図である。図１０は、案内部材が一体に形成されたバスタブの外観斜視図である。図１１は、案内部材によって形成される搬送経路を用紙が搬送される様子を表す図である。図１２は、図１１における各図のＢ−Ｂ矢視断面図である。図１３は、狭い搬送経路用紙において発生する紙ジャムについて説明する図である。
【００２５】
＜スキャナーの概要＞
本発明に係る画像読取装置としてのスキャナー１（図１）は、「媒体」としての用紙Ｐを給送する媒体搬送装置１０（図４）を備えている。  
スキャナー１は、下部ユニット２及び上部ユニット３によって構成される筐体７と、上部ユニット３の上面及び後述する給送口６（図２、図４）を開閉する開閉体４と、によってその外観が構成されている。
【００２６】
尚、各図において示すＸ−Ｙ−Ｚ座標系はＸ方向が装置幅方向であり用紙幅方向、Ｙ方向が用紙搬送方向である。Ｚ方向はＹ方向と交差する方向であって、概ね搬送される用紙の面と直交する方向を示している。また、＋Ｙ方向側を装置前面側とし、−Ｙ方向側を装置背面側とする。また、装置前面側から見て右側を＋Ｘ方向、左側を−Ｘ方向とする。また、＋Ｚ方向を装置上方（上部、上面等を含む）とし、−Ｚ方向側を装置下方（下部、下面等を含む）とする。  
また、スキャナー１において、媒体としての用紙Ｐは各図の＋Ｙ方向へ搬送される構成である。＋Ｙ方向側が「下流」であり、−Ｙ方向側が「上流」である。
【００２７】
上部ユニット３は下部ユニット２に対して用紙搬送方向下流側を回動支点として回動可能に下部ユニット２に取り付けられている。上部ユニット３は、下部ユニット２に対して閉じて下部ユニット２とともに用紙Ｐの搬送経路を構成する閉状態（図２）と、下部ユニット２に対して装置前面側に回動して用紙Ｐの搬送経路を露呈させて紙詰まりの処理を容易に行うことができる開状態（図３）とを取り得る。
【００２８】
また、上部ユニット３の上部を開閉する開閉体４は、下部ユニット２の背面側の上部に対して回動可能に下部ユニット２に取り付けられており、開状態（図２）において、用紙Ｐが載置される媒体載置部材１１として機能する。  
すなわち、媒体載置部材１１としての開閉体４は、図１に示すように上部ユニット３の上部及び給送口６（図２、図４を参照）を覆う非給送状態と、図１の非給送状態から図２に示すように装置背面側に回動し、給送口６を開放するとともに開閉体４の内側面（載置面１１ａ）で給送される用紙Ｐを支持する媒体載置部材１１となる給送状態とを取り得る。
【００２９】
本実施例において、媒体載置部材１１の上流側には、補助ペーパーサポート１５（図２、図３）が設けられている。補助ペーパーサポート１５は、中空に形成された開閉体４に収納可能且つ引き出し可能に構成されている。補助ペーパーサポート１５を引き出すことにより、媒体載置部材１１に載置された用紙Ｐの上流側まで支持することができるので、用紙Ｐの大きさ（長さ）が大きい（長い）場合でも用紙Ｐを安定して支持することができる。
【００３０】
媒体載置部材１１には、用紙Ｐの幅方向（Ｘ軸方向）の両側縁をガイドする一対のエッジガイド１２、１２（図２、図３）が設けられている。エッジガイド１２、１２は、用紙Ｐのサイズに応じてＸ軸方向にスライド移動可能に設けられている。本実施例において、エッジガイド１２、１２は、一方のエッジガイド１２（例えば＋Ｘ側）のＸ移動に追従して、他方のエッジガイド１２（−Ｘ側）が相対する方向に移動するように構成されている。  
すなわち、スキャナー１は、媒体載置部材１１において用紙Ｐが幅方向の中央に揃えられ、所謂、センター給紙方式で給紙されるように構成されている。
【００３１】
＜スキャナーにおける用紙搬送経路について＞
次に、主に図４を参照して、スキャナー１における用紙搬送経路について説明する。尚、図４における符号Ｐ１で示す点線は用紙Ｐの搬送経路を示している。  
給送口６にセットされる用紙Ｐは、その先端側（下流側）が媒体載置部材１１（開状態の開閉体４）の載置面１１ａに支持されて載置される。
【００３２】
給送口６には、複数枚の用紙Ｐをセットすることができる。給送口６にセットされた用紙Ｐは、送りローラー１３によって給送されて、後述する画像読取部２１に向けて送られる。送りローラー１３は、２つの送りローラー１３が用紙Ｐの搬送方向と交差する幅方向（Ｘ軸方向）に間隔を空けて配置され、前記幅方向の中央部に対称になるように一対で設けられている（図３）。  
送りローラー１３と対向する位置には、送りローラー１３との間で用紙Ｐをニップして分離する分離ローラー１４が設けられている。
【００３３】
媒体載置部材１１に載置された用紙Ｐは、下部ユニット２に対して回転可能に設けられた送りローラー１３によりピックアップされて下流側（＋Ｙ方向側）に給送される。具体的には、用紙Ｐの載置面１１ａに対向する面に、送りローラー１３が接触しつつ回転することにより、用紙Ｐを下流側に向けて給送する。したがって、スキャナー１において複数枚の用紙Ｐを給送口６にセットした場合には、媒体載置部材１１の載置面１１ａ側の用紙から順に下流側に向けて給送される。
【００３４】
送りローラー１３の下流側には、本発明に係る媒体搬送装置１０を構成する搬送ローラー２０が設けられている。搬送ローラー２０もまた、送りローラー１３と同様に、２つの搬送ローラー２０ａ、２０ｂが用紙Ｐの搬送方向と交差する幅方向（Ｘ軸方向）に間隔を空けて配置され、前記幅方向の中央部に対称になるように一対で設けられている（図５）。  
搬送ローラー２０は、下部ユニット２に設けられた搬送駆動ローラー２３と、上部ユニット３に設けられ、搬送駆動ローラー２３に対して従動回転する搬送従動ローラー２４を備えて構成されている。
【００３５】
送りローラー１３によって給送された用紙Ｐは、互いに対向する案内面によって構成される搬送経路３０を搬送される。互いに対向する案内面のうち、用紙Ｐを下方から支持する面を下側案内面２９ａ、下側案内面２９ａと対向する面を上側案内面２９ｂとする。  
尚、送りローラー１３及び搬送駆動ローラー２３は、下側案内面２９ａに対して一部が突出するように配置されている。
【００３６】
搬送ローラー２０の下流側には、画像を読み取る「読取部」としての画像読取部２１が設けられており、搬送ローラー２０によって用紙Ｐが画像読取部２１に搬送される。  
画像読取部２１は、上部ユニット３側に設けられた上部画像読取センサー２５と、下部ユニット２側に設けられた下部画像読取センサー２６とを備えている。本実施形態において、上部画像読取センサー２５及び下部画像読取センサー２６は一例として密着型イメージセンサーモジュール（ＣＩＳＭ）として構成されている。  
尚、上部画像読取センサー２５の読取面と下部画像読取センサー２６の読取面により形成される搬送経路３０aは、上部画像読取センサー２５と下部画像読取センサー２６の各読取面と用紙Ｐを密着させるように狭く形成されている。
【００３７】
画像読取部２１において、用紙Ｐの表面及び裏面の少なくとも一方の面の画像を読み取られた後、画像読取部２１の下流側に位置する排出ローラー２２によって用紙Ｐが送られて、下部ユニット２の装置前面側に設けられた排出口８から排出される。  
下部ユニット２には、排出口８から装置前面側に向けて引き出し可能に構成された排紙トレイ５が設けられている。排紙トレイ５は、下部ユニット２の底部に収納された状態（図１）と、装置前面側に引き出した状態（図２）とを取り得る。排紙トレイ５を引き出した状態において、排出口８から排出された用紙Ｐが排紙トレイ５上に積載される
【００３８】
また、本実施形態において排出ローラー２２は下部ユニット２に設けられた排出駆動ローラー２７と、上部ユニット３に設けられ、排出駆動ローラー２７に対して従動回転する排出従動ローラー２８を備えている。  
尚、本実施形態において送りローラー１３、搬送駆動ローラー２３及び排出駆動ローラー２７は、下部ユニット２内に設けられた少なくとも１つの駆動源（不図示）により回転駆動させられる。
【００３９】
＜媒体搬送装置について＞
次に、前述した媒体搬送装置１０の構成について、更に詳しく説明する。  
前述したスキャナーにおける用紙搬送経路の説明において述べたように、媒体搬送装置１０は、用紙Ｐの搬送方向と交差する幅方向（Ｘ軸方向）に間隔を空けて一対で設けられた搬送ローラー２０ａ、２０ｂを備え、互いに対向する下側案内面２９ａと上側案内面２９ｂによって構成される搬送経路３０を用紙Ｐが搬送されるように構成されている。
【００４０】
そして、媒体搬送装置１０は、搬送経路３０において搬送される用紙Ｐの位置を検出する「媒体検出部材」としての検出レバー３１を備えている。検出レバー３１は、図５及び図６に示すように、前記幅方向において搬送ローラー２０ａ、２０ｂの間に設けられている。  
本実施例において検出レバー３１は、搬送ローラー２０ａ、２０ｂを構成する搬送駆動ローラー２３ａ、２３ｂの間に設けられており、下側案内面２９ａに設けられた開口３３から搬送経路３０に突出する非検出状態（図１１の１番上の図）と、搬送される用紙Ｐに押されて前記非検出状態よりも突出高さが低くなる方向に変位する検出状態（図１１の１番下の図）と、をとり得るように構成されている。すなわち、本実施例における検出レバー３１は、用紙Ｐの非検出状態において下側案内面２９ａから＋Ｚ方向に突出し、検出状態において検出レバー３１の先端３１ａ（図６）が−Ｚ方向に変位する構成である。
【００４１】
尚、検出レバー３１は、検出レバー３１の変位によって切り替わる電気的導通状態と非導通状態を検出するセンサー本体（不図示）に接続されている。用紙Ｐによって検出レバー３１が押されて−Ｚ方向に変位すると電気的に導通状態になり、センサー本体において用紙Ｐを検出したと判断される。一方、用紙Ｐが検出レバー３１から離れて＋Ｚ方向に変位すると電気的に非導通状態になり、用紙Ｐが検出されない状態となる。
【００４２】
続いて、対向する下側案内面２９ａと上側案内面２９ｂのうち検出レバー３１の突出方向（＋Ｚ方向）には、上側案内面２９ｂを構成する案内部材３２（図７、図１１を参照）が設けられている。  
案内部材３２（図８、図９を参照）は、第１の案内部３４と、第１の案内部３４より下流側に位置する第２の案内部３５と、を備えている。以下において、第１の案内部３４と第２の案内部３５の構成について説明した後、これらの役割について説明する。
【００４３】
第１の案内部３４は、搬送経路３０を狭めて用紙Ｐを検出レバー３１に当接させる形状を有している。  
より具体的には、第１の案内部３４（図９）は、用紙の搬送方向において非検出状態の検出レバー３１の先端３１ａがある位置３９に向かい、第１の案内部３４よりも上流側（例えば、符号ｄ１で示す部分）よりも搬送経路３０の高さ方向の幅が狭くなるように形成されている。本実施例において第１の案内部３４は、少なくとも一部が下流側に向けて下る斜面に形成されている。
【００４４】
続いて第２の案内部３５は、搬送される用紙Ｐを幅方向（Ｘ軸方向）において一対の搬送ローラー２０ａ、２０ｂの間に１つの頂点を有する山形（図１２の上から２番目の図を参照）にする形状を有している。  
より具体的には、第２の案内部３５は、図９に示すように、搬送経路３０の広さを第１の案内部３４によって形成される搬送経路３０よりも広くする形状を有している。図９において、第２の案内部３５によって形成される搬送経路３０（符号ｄ３で示す部分）は、第１の案内部３４によって狭くなった搬送経路３０（符号ｄ２で示す部分）よりも広くなっている。
【００４５】
次に、第１の案内部３４と第２の案内部３５を備える案内部材３２の役割について、図１１及び図１２を参照して説明する。  
まず、案内部材３２が第１の案内部３４を備えることにより、狭い搬送経路３０を搬送される用紙Ｐを検出レバー３１に確実に当接させることができる（図１１の１番上の図）。したがって、搬送される用紙Ｐによって検出レバー３１が確実に押される構成とすることができる。このことにより、搬送される用紙Ｐが検出レバー３１を押さずに乗り越えて通過する「検出レバーの空振り」によって用紙Ｐが未検出となる虞を抑制または回避することができる。  
特に、用紙Ｐがコシの弱い薄紙の場合、前記「検出レバーの空振り」が生じ易いが、薄紙であっても確実に検出レバー３１を押すことができる。
【００４６】
ここで、本実施例にように、用紙Ｐの幅方向に２つの搬送ローラー２０ａ、２０ｂを有する場合、搬送ローラー２０ａ、２０ｂによる用紙の送り方向の平行度が異なると用紙Ｐが幅方向に撓む場合がある。このような撓んだ用紙Ｐが第１の案内部３４によって狭められた搬送経路３０に入り込むと、撓みがその大きさを維持できずに、図１２の１番上の図に示すように、第１の案内部３４及び搬送ローラー２０ａ間と、第１の案内部３４及び搬送ローラー２０ｂ間のそれぞれに、１つの頂点を有する山形の形状が形成される場合がある。すなわち、搬送ローラー２０ａ、２０ｂの間には２つの山が形成された状態になる場合がある。
【００４７】
図１３を参照するに、搬送ローラー２０ａ、２０ｂの間に複数の山が形成された用紙Ｐが、更に下流側に進み、画像読取部２１における狭い搬送経路３０aに入り込むと、図１３の上図において矢印ｃで示すように山が低くなる幅方向に用紙が逃げるが、山が複数あると山同士の間で用紙の逃げ場が無くなり、図１３の下図に示すように押し潰されて紙ジャム（紙詰まり）になり易い。
【００４８】
本実施例においては、案内部材３２が第２の案内部３５を備えることにより、用紙Ｐが検出レバー３１よりも下流側に搬送されて、第２の案内部３５により形成される搬送経路３０に差し掛かると（図１１の２番目の図）、第２の案内部３５が搬送される用紙Ｐを、その幅方向において一対の搬送ローラー２０ａ、２０ｂの間に１つの頂点を有する山形にする（図１２の２番目の図）。  
本実施例では、第２の案内部３５によって形成される搬送経路３０は、第１の案内部３４によって形成される搬送経路３０よりも広くなるので、搬送される用紙Ｐが検出レバー３１から離れた際に、搬送ローラー２０ａ、２０ｂの間に１つの頂点を有する山形にすることができる。
【００４９】
用紙Ｐが、搬送ローラー２０ａ、２０ｂの間に１つの頂点を有する山形であると、狭い搬送経路３０ａに入り込んだ際に山の頂点が押し潰されたとしても、用紙Ｐの幅方向の両側にスムーズに用紙が逃げるので、紙ジャムは発生し難い。  
したがって、搬送ローラー２０ａ、２０ｂの間に２つ以上の山が形成されること回避して、狭い搬送経路３０ａにおける紙ジャムの発生の虞を低減することができる。  
以上のように、案内部材３２が第１の案内部３４と第２の案内部３５を備えることにより、検出レバー３１における媒体未検出と紙ジャムの発生の両方を抑制または回避することができる。
【００５０】
また、本実施例において、案内部材３２の第１の案内部３４には、非検出状態において検出レバー３１の先端３１ａを受け入れる受入部３６（図８、図１１）を備えている。  
このことにより、位置３９の上流側近傍において、搬送経路３０の高さ方向の幅ｄ２が、非検出状態の検出レバー３１の先端３１ａよりも低くなるように構成することができ、第１の案内部３４と検出レバー３１をより近接させることができる。  
以って、一層確実に用紙Ｐを検出レバー３１に当接させることができる上、媒体搬送装置１０における省スペース化を図ることができる。
【００５１】
更に本実施例において、第２の案内部３５は、画像読取部２１に対向する搬送経路３０ａに用紙Ｐを誘う誘い部３７（図８、図９）を備えている。そして、案内部材３２は、上部画像読取センサー２５を収納する「収納部」としてのバスタブ４０（図７、図１０）と一体に形成されている。図１０における符号４１は、バスタブ４０において上部画像読取センサー２５を収納する収納スペースである。
【００５２】
第２の案内部３５が、画像読取部２１に対向する搬送経路３０ａに用紙Ｐを誘う誘い部３７を備えていることにより、第２の案内部３５によって広く形成された搬送経路３０から、画像読取部２１における狭い搬送経路３０ａに向けて用紙Ｐをスムーズに送ることができる。
【００５３】
案内部材３２が、画像読取部２１（上部画像読取センサー２５）を収納するバスタブ４０と一体に形成されていることにより、バスタブ４０に対する案内部材３２の相対位置を一定にすることができるので、バスタブ４０に収納される画像読取部２１に向けて用紙Ｐを安定して搬送することができる。以って、画像読取部２１における精度の高い読み取りを実現できる。また、部品点数を減らし、コストを低減することができる。
【００５４】
また、誘い部３７の用紙幅方向（Ｘ軸方向）の両側には、誘い部３７と面一に、用紙幅方向に延設されるガイド部３８を備えている（図８、図１０）。  
尚、図８においては、分かり易くするために誘い部３７とガイド部３８の境目を点線で示しているが、誘い部３７とガイド部３８は面一に形成されているのでその境目に厳密な意味はない。  
ガイド部３８を備えることにより、図１２の１番下の図に示すように、用紙Ｐを幅方向に亘ってガイドしつつ画像読取部２１に向けて誘うように搬送することができる。
【００５５】
尚、本実施例では、検出レバー３１が下側案内面２９ａ側に設けられているが、上側案内面２９ｂ側、すなわち、搬送駆動ローラー２３ａ、２３ｂに対応する２つの搬送従動ローラー２４ａ、２４ｂの間に設ける構成とすることもできる。その場合には、案内部材３２は、下側案内面２９ａを形成するように構成されるとともに、下部画像読取センサー２６を収納するバスタブと一体に形成することができる。
【００５６】
その他、本発明は上記実施形態に限定されることなく、特許請求の範囲に記載した発明の範囲内で種々の変形が可能であり、それらも本発明の範囲内に含まれるものであることは言うまでもない。
【符号の説明】
【００５７】
１…スキャナー（画像読取装置）、２…下部ユニット、３…上部ユニット、
４…開閉体、５…排紙トレイ、６…給送口、７…筐体、
８…排出口、１０…媒体搬送装置、１１…媒体載置部材、１１ａ…載置面、
１２…エッジガイド、１３…送りローラー、１４…分離ローラー、
１５…補助ペーパーサポート、２０…搬送ローラー、２１…画像読取部（読取部）、
２２…排出ローラー、２３…搬送駆動ローラー、２４…搬送従動ローラー、
２５…上部画像読取センサー、２６…下部画像読取センサー、
２７…排出駆動ローラー、２８…排出従動ローラー、
２９ａ…下側案内面、２９ｂ…上側案内面、３０…搬送経路、
３１…検出レバー（媒体検出部材）、３２…案内部材、３３…開口、
３４…第１の案内部、３５…第２の案内部、３６…受入部、３７…誘い部、
３８…ガイド部、３９…位置、４０…バスタブ（収納部）、４１…収容スペース、
Ｐ、Ｐ１…用紙
【図１】
0006730664.tif 000002
【図２】
0006730664.tif 000003
【図３】
0006730664.tif 000004
【図４】
0006730664.tif 000005
【図５】
0006730664.tif 000006
【図６】
0006730664.tif 000007
【図７】
0006730664.tif 000008
【図８】
0006730664.tif 000009
【図９】
0006730664.tif 000010
【図１０】
0006730664.tif 000011
【図１１】
0006730664.tif 000012
【図１２】
0006730664.tif 000013
【図１３】
0006730664.tif 000014